(57)【要約】【課題】着脱交換可能なパンチチップの強固な固定及びその緩み止めを忘れることなく確実に行うことのできるパンチ金型を提供する。【解決手段】パンチガイド３５内に上下動自在に嵌入されるパンチドライバ４１に、パンチチップ３９を着脱可能に備えたパンチ金型であって、前記パンチドライバ４１を、上部にパンチヘッド取付部４７を備えた上部パンチドライバ４３Ｕとパンチチップ３９を着脱可能に内装した筒状の下部パンチドライバ４３Ｌとに分割して設け、前記下部パンチドライバ４３Ｌ内の前記パンチチップ３９を下端部でもって押圧すべく前記下部パンチドライバ４３Ｌ内に上部から螺入したねじ部材５５の上部に前記上部パンチドライバ４３Ｕを螺合して設け、前記下部パンチドライバ４３Ｌの上端面と前記上部パンチドライバ４３Ｕの下端面とを当接して前記ねじ部材５５に張力を付与した構成である。【選択図】図１
2011067852.tif 000002
【特許請求の範囲】
【請求項１】
パンチガイド内に上下動自在に嵌入されるパンチドライバに、パンチチップを着脱可能に備えたパンチ金型であって、前記パンチドライバを、上部にパンチヘッド取付部を備えた上部パンチドライバとパンチチップを着脱可能に内装した筒状の下部パンチドライバとに分割して設け、前記下部パンチドライバ内の前記パンチチップを下端部でもって押圧すべく前記下部パンチドライバ内に上部から螺入したねじ部材の上部に前記上部パンチドライバを螺合して設け、前記下部パンチドライバの上端面と前記上部パンチドライバの下端面とを当接して前記ねじ部材に張力を付与した構成であることを特徴とするパンチ金型。
【請求項２】
請求項１に記載のパンチ金型において、前記ねじ部材が下部パンチドライバに螺合したねじ部の径及び前記ねじ部材が上部パンチドライバに螺合した部分のねじ部の径は同一径であり、かつ同一ピッチであることを特徴とするパンチ金型。
【発明の詳細な説明】
【技術分野】
【０００１】
本発明は、パンチプレスに使用されるパンチ金型装置における筒状のパンチガイド内に上下動自在に嵌入して使用されるパンチ金型に係り、さらに詳細には、パンチチップを着脱可能に備えた構成であって、上記パンチチップをねじ部材によって強固に押圧固定できると共に上記ねじ部材の緩み止めを確実に行うことのできるパンチ金型に関する。
【背景技術】
【０００２】
パンチプレスに使用されるパンチ金型装置においては、パンチ金型の汎用性の向上を図るために、パンチチップを着脱可能に備えたパンチ金型がある（例えば特許文献１参照）。
【先行技術文献】
【特許文献】
【０００３】
【特許文献１】実開昭６０−１５２１号公報
【発明の概要】
【発明が解決しようとする課題】
【０００４】
前記特許文献１に記載のパンチ金型装置の構成は、図３に示すとおりである。すなわち、パンチ金型装置１は、パンチプレスにおけるパンチ金型ホルダ３に上下動自在に支持された筒状のパンチガイド５を備えており、このパンチガイド５内には、前記パンチガイド５の上部に備えたリテーナカラー７を貫通したパンチドライバ９が上下動自在に嵌入してある。そして、前記パンチドライバ９の上部に取付けたパンチヘッド１１と前記リテーナカラー７との間にはストリッパースプリング１３が弾装してある。
【０００５】
前記パンチドライバ９の下部にはパンチチップホルダ１５が一体的に取付けてある。そして、このパンチチップホルダ１５には、パンチチップ１７が上方向へ着脱可能に備えられている。このパンチチップ１７を上方向から押圧固定するために、前記パンチドライバ９には上下方向に貫通した長穴１９が形成してあり、この長穴１９の上部には雌ねじ部１９Ｓが形成してある。そして、前記長穴１９を上下に貫通して下端面を前記パンチチップ１７の上面に当接した固定ねじ２１の上部に形成した雄ねじ部２１Ｓが前記雌ねじ部１９Ｓに螺入してある。さらに、前記雌ねじ部１９Ｓには、前記固定ねじ２１の上面に当接するロックねじ２３が螺入してある。
【０００６】
上記構成において、前記パンチチップ１７の上下位置は、前記パンチチップホルダ１５に対してパンチチップ１７の上下位置を調節した後、前記パンチチップホルダ１５に備えた止めねじ２５を締め付けることによって、パンチチップ１７をパンチチップホルダ１５に一体的に固定するものである。そして、前記固定ねじ２１は、雄ねじ部２１Ｓを締め付けて、当該固定ねじ２１の下端面を前記パンチチップ１７の上面に当接した後、上記固定ねじ２１の緩み止めを行うために、前記雌ねじ部１９Ｓにロックねじ２３を螺入し前記固定ねじ２１の上面に当接する構成である。
【０００７】
上記構成において、固定ねじ２１は、パンチチップ１７の上方向への移動を規制するのみであるから、ワークの打抜き加工を行った後、ワークからパンチチップ１７を引き抜くときに、パンチチップ１７が下方向へ僅かに移動することがあり、パンチチップ１７とパンチチップホルダ１５、固定ねじ２１との間にガタを生じ易いという問題がある。また前記構成においては、固定ねじ２１における雄ねじ部２１Ｓを雌ねじ部１９Ｓに螺入した後に、別個のロックねじ２３を上記雌ねじ部１９Ｓに螺入するものであるから、ロックねじ２３を忘れることがあるという問題がある。さらに、前記構成においては、パンチドライバ９の全長に亘って長穴１９を加工しなければならず、また固定ねじ２１の雄ねじ部２１Ｓとロックねじ２３のねじ部をそれぞれ別個に加工しなければならず、加工の容易性において問題がある。
【課題を解決するための手段】
【０００８】
本発明は、上述のごとき従来の問題に鑑みてなされたもので、パンチガイド内に上下動自在に嵌入されるパンチドライバに、パンチチップを着脱可能に備えたパンチ金型であって、前記パンチドライバを、上部にパンチヘッド取付部を備えた上部パンチドライバとパンチチップを着脱可能に内装した筒状の下部パンチドライバとに分割して設け、前記下部パンチドライバ内の前記パンチチップを下端部でもって押圧すべく前記下部パンチドライバ内に上部から螺入したねじ部材の上部に前記上部パンチドライバを螺合して設け、前記下部パンチドライバの上端面と前記上部パンチドライバの下端面とを当接して前記ねじ部材に張力を付与した構成であることを特徴とするものである。
【０００９】
また、前記パンチ金型において、前記ねじ部材が下部パンチドライバに螺合したねじ部の径及び前記ねじ部材が上部パンチドライバに螺合した部分のねじ部の径は同一径であり、かつ同一ピッチであることを特徴とするものである。
【発明の効果】
【００１０】
本発明によれば、簡単な構成でもってパンチチップを確実に固定することができ、かつパンチチップを固定することを忘れるようなことがなく、前述したごとき従来の問題を解消し得るものである。
【図面の簡単な説明】
【００１１】
【図１】本発明の実施形態に係るパンチ金型の構成を概念的、概略的に示した説明図である。
【図２】本発明の実施形態に係るパンチ金型の分解斜視図である。
【図３】従来のパンチ金型の構成を示す説明図である。
【発明を実施するための形態】
【００１２】
以下、図面を用いて本発明の実施形態に係るパンチ金型の構成について説明するに、前述した従来の構成と同一機能を奏する構成要素には同一符号を付することとして重複した説明は省略する。
【００１３】
図１を参照するに、本発明の実施形態に係るパンチ金型３１は、パンチプレスにおけるパンチ金型ホルダ３に上下動自在に装着されるパンチ金型装置３３に装着して使用されるものである。より詳細には、パンチ金型装置３３は前記パンチ金型ホルダ３に上下動自在に支持される筒状のパンチガイド３５を備えており、このパンチガイド３５の上部にはリテーナカラー３７が備えられている。そして、前記パンチガイド３５内に前記パンチ金型３１が上下動自在に嵌入（内装）されているものである。
【００１４】
前記パンチ金型３１は、上下方向に長いパンチチップ３９を着脱可能に備えたパンチドライバ４１を備えている。このパンチドライバ４１は、前記リテーナカラー３７を上下動自在に貫通した上部パンチドライバ４３Ｕと、前記パンチチップ３９を着脱可能に内装した筒状の下部パンチドライバ４３Ｌとに分割してある。前記上部パンチドライバ４３Ｕの上部には、パンチヘッド４５を上下に調節可能に取付けるパンチヘッド取付部としての雄ねじ部４７が形成してあり、この雄ねじ部４７に上下に調節可能に螺着した前記パンチヘッド４５と前記リテーナカラー３７との間にはストリッパースプリング４９が弾装してある。
【００１５】
前記下部パンチドライバ４３Ｌに形成した上下方向の装着孔５１内に上方向から嵌入装着した前記パンチチップ３９の上部に備えたフランジ部３９Ｆを前記装着孔５１の底部５１Ｂへ押圧固定するために、前記下部パンチドライバ４３Ｌにおける前記装着孔５１の上部には雌ねじ部５３が形成してある。そして、上記雌ねじ部５３には、下端面でもって前記パンチチップ３９の上面を下方向へ押圧するためのねじ部材５５が螺入してある。
【００１６】
上記ねじ部材５５は、下端面でパンチチップ３９を押圧固定したとき、前記下部パンチドライバ４３Ｌの上面から上方向へ大きく突出する長さに設けてあり、このねじ部材５５の上部には、前記上部パンチドライバ４３Ｕの下部に形成した雌ねじ部５７が螺合してある。そして、前記ねじ部材５５の上部に上部パンチドライバ４３Ｕを螺合（螺着）すると、上部パンチドライバ４３Ｕの下面と下部パンチドライバ４３Ｌの上面とが当接する。
【００１７】
したがって、上述のように、上部パンチドライバ４３Ｕの下面と下部パンチドライバ４３Ｌの上面とが当接した状態にあるとき、上部パンチドライバ４３Ｕをさらに締付けると、前記ねじ部材５５に張力を付与することとなる。よって、ねじ部材５５に張力を付与するときの大きな反力が上下のパンチドライバ４３Ｕ，４３Ｌの当接面に作用することとなり、ねじ部材５５と上下のパンチドライバ４３Ｕ，４３Ｌとの螺合状態の緩み止め機能を奏するものである。
【００１８】
上記構成により、下部パンチドライバ４３Ｌとパンチチップ３９との間に僅かなガタ付きをも生じることなく、パンチチップ３９を強固に固定することができるものである。
【００１９】
なお、前記ねじ部材５５におけるねじ部の径は全長に亘って同径であり、かつ同一ピッチであるから、ねじ部材５５におけるねじ部の加工が容易であると共に、上下のパンチドライバ４３Ｕ，４３Ｌにおける雌ねじ部５７，５３を同径、同ピッチに加工することができ雌ねじ部５７，５３の加工も容易に行い得るものであり、全体的構成の加工が容易なものである。
【００２０】
既に理解されるように、下部パンチドライバ４３Ｌにねじ部材５５を螺着してパンチチップ３９を強固に押圧固定した後に、上記ねじ部材５５の上部に上部パンチドライバ４３Ｕを螺着して締付けるものであるから、ねじ部材５５と上下のパンチドライバ４３Ｕ，４３Ｌとの緩み止めを忘れることなく確実に行うことができるものであり、前述したごとき従来の問題を解消し得るものである。
【００２１】
なお、パンチチップ３９の再研磨後のハイト調整は、パンチヘッド４５の螺合位置を上下に調節して行うものであるから、パンチチップ３９を常に下方向へ強固に押圧固定できるものである。    
【符号の説明】
【００２２】
３１    パンチ金型
３３    パンチ金型装置
３５    パンチガイド
３９    パンチチップ
３９Ｆ    フランジ部
４１    パンチドライバ
４３Ｕ    上部パンチドライバ
４３Ｌ    下部パンチドライバ
４５    パンチヘッド
４７    雄ねじ部（パンチヘッド取付部）
５１    装着孔
５３    雌ねじ部
５５    ねじ部材
５７    雌ねじ部
【図１】
2011067852.tif 000003
【図２】
2011067852.tif 000004
【図３】
2011067852.tif 000005